(57)【特許請求の範囲】
【請求項１】
精米機から排出される糠を糠取出用タンクに溜め、糠取出用タンクに設けられた開閉自在の糠取出口を開けることで糠を外部に取出自在とされた精米設備の糠回収取出装置であって、糠取出用タンクの少なくとも一部を変形可能な材料で構成し、糠取出口を開閉させる開閉シャッタの開閉動作を行わせる開閉レバーと、開閉レバーの開動作に連動して糠取出用タンクを外側から変形させる連動変形手段とを備え、連動変形手段は、糠取出用タンクの変形可能な材料で構成されている部分の上側寄り箇所と下側寄り箇所との高さが異なる複数箇所に臨んで設けられたアーム部を有しており、開閉レバーの開動作に連動して、糠取出用タンクにおける複数のアーム部接触ライン間の面を移動させるように変形させる精米設備の糠回収取出装置。
【請求項２】
精米機から排出される糠を糠取出用タンクに溜め、糠取出用タンクに設けられた開閉自在の糠取出口を開けることで糠を外部に取出自在とされた精米設備の糠回収取出装置であって、糠取出用タンクの少なくとも一部を変形可能な材料で構成し、糠取出口を開閉させる開閉シャッタの開閉動作を行わせる開閉レバーと、開閉レバーの開動作に連動して糠取出用タンク内を糠に当たりながら移動する連動移動手段と、開閉レバーの開動作に連動して糠取出用タンクを外側から変形させる連動変形手段とを備え、連動変形手段は、糠取出用タンクの変形可能な材料で構成されている部分の上側寄り箇所と下側寄り箇所との高さが異なる複数箇所に臨んで設けられたアーム部を有しており、開閉レバーの開動作に連動して、糠取出用タンクにおける複数のアーム部接触ライン間の面を移動させるように変形させる精米設備の糠回収取出装置。
【請求項３】
精米機から排出される糠を糠取出用タンクに溜め、糠取出用タンクに設けられた開閉自在の糠取出口を開けることで糠を外部に取出自在とされた精米設備の糠回収取出装置であって、糠取出用タンクの少なくとも一部を変形可能な材料で構成し、糠取出口を開閉させる開閉シャッタの開閉動作を行わせる開閉レバーと、開閉レバーの開動作に連動して糠取出用タンク内を糠に当たりながら移動する連動移動手段と、開閉レバーの開動作に連動して糠取出用タンクを外側から変形させる連動変形手段とを備え、前記連動移動手段による糠に当たる箇所と、前記連動変形手段による糠取出用タンクに当たる箇所とが、高さが異なり、かつ前記連動移動手段の移動方向と前記連動変形手段の変形方向とが異なる精米設備の糠回収取出装置。
【発明の詳細な説明】
【０００１】
【発明の属する技術分野】
本発明は、精米機から排出される糠を糠取出用タンクに溜め、糠取出用タンクに設けられた開閉自在の糠取出口を開けることで糠を外部に取出自在とされた精米設備の糠回収取出装置に関するものである。
【０００２】
【従来の技術】
コインや紙幣などの各種貨幣を投入することにより自動的に精米作業を行ういわゆるコイン式精米設備は知られている。このようなコイン式精米設備において、比較的簡単な構成で製造コストの増加を抑えながら、精米作業で発生する糠を客室側からも取出すことができる設備として、本出願人は以下に述べる構造を既に提案している。
【０００３】
図１１〜図１３に示すように、仕切壁１により建屋２の内部が、利用客が自由に出入りできる客室３と、係員などが出入り可能な機械室４とに仕切られており、機械室４に、精米機５からの発生した糠Ａを回収するとともに精米作業で発生する糠Ａを客室３側からも取出すことができる糠回収取出装置１０を設けている。
【０００４】
糠回収取出装置１０は、精米機５から発生した糠Ａを空気とともに吸引して下流側に送出する送風装置１１と、この送風装置１１の下流側に接続されて、糠Ａと空気とを分離するサイクロン１２と、サイクロン１２で分離された糠Ａを回収する回収用容器１３とを備えているだけでなく、これらに加えて、送風装置１１とサイクロン１２とを接続する接続通路１４、１５の途中に介装された糠取出用タンク１６と、機械室４内に配設され、糠取出用タンク１６の糠取出口１７から排出された糠を受ける袋体１８を客室３側から出し入れできる糠取出部１９とを備えている。そして、仕切壁１の開口部２０に設けられた糠取出用扉２１を開けて糠取出部１９に袋体１８を置いた状態で、糠取出口１７に開閉自在に取付けられた開閉シャッタ２２を図示しない開閉レバーを操作して糠取出口１７を開けることで、袋体１８内に糠Ａを取出すことができるようになっている。
【０００５】
この構成によれば、精米作業で発生する糠Ａを客室３側からも取出すことができるだけでなく、回収用容器１３と糠取出用タンク１６との糠Ａの流路を切り換える切換装置やその制御装置などを設けていないため、製造コストの上昇を抑えることができる利点がある。また、糠取出用タンク１６に糠Ａが一定量（図１１に示す状態）まで溜まると、その後、糠Ａは回収用容器１３側に流れて溜まるため、糠取出用タンク１６に糠Ａの量を検知する検知センサなどを設ける必要がなく、これによっても製造コストの増加を抑えることができる。
【０００６】
【発明が解決しようとする課題】
しかしながら、図１１〜図１３に示すような上記の糠回収取出装置においては、糠取出用タンク１６内で糠Ａがブリッジ状態となり、糠取出口１７を開けても糠Ａが糠取出口１７から落ちないおそれがあった。また、糠取出用タンク１６全体を鉄などの空気を通さない剛体からなる材料で構成すると、回収用容器１３側への空気の流れが大きいため糠取出用タンク１６内に糠があまり溜まらなくなるおそれもあった。
【０００７】
本発明は上記課題を解決するもので、糠取出用タンクからの糠を確実に排出させることができ、糠取出用タンクを大きくしなくても糠取出用タンク内に糠を多量に溜めることができる精米設備の糠回収取出装置を提供することを目的とするものである。
【０００８】
【課題を解決するための手段】
上記課題を解決するために、請求項１記載の発明は、精米機から排出される糠を糠取出用タンクに溜め、糠取出用タンクに設けられた開閉自在の糠取出口を開けることで糠を外部に取出自在とされた精米設備の糠回収取出装置であって、糠取出用タンクの少なくとも一部を変形可能な材料で構成し、糠取出口を開閉させる開閉シャッタの開閉動作を行わせる開閉レバーと、開閉レバーの開動作に連動して糠取出用タンクを外側から変形させる連動変形手段とを備え、連動変形手段は、糠取出用タンクの変形可能な材料で構成されている部分の上側寄り箇所と下側寄り箇所との高さが異なる複数箇所に臨んで設けられたアーム部を有しており、開閉レバーの開動作に連動して、糠取出用タンクにおける複数のアーム部接触ライン間の面を移動させるように変形させることを特徴とする。
【０００９】
この構成において、開閉レバーを操作することで、連動変形手段により糠取出用タンクが外側から変形されるため、糠取出用タンク内の糠がブリッジ状態になっていた場合でも、このブリッジ状態が崩され、糠は糠取出口から良好に排出される。また、この構成において、開閉レバーを操作すると、連動変形手段の複数のアーム部により糠取出用タンクがアーム部接触ライン間の面が移動させるように変形されるので、ブリッジ状態が効果的に崩され、糠は糠取出口から良好に排出される。
【００１０】
請求項２記載の発明は、精米機から排出される糠を糠取出用タンクに溜め、糠取出用タンクに設けられた開閉自在の糠取出口を開けることで糠を外部に取出自在とされた精米設備の糠回収取出装置であって、糠取出用タンクの少なくとも一部を変形可能な材料で構成し、糠取出口を開閉させる開閉シャッタの開閉動作を行わせる開閉レバーと、開閉レバーの開動作に連動して糠取出用タンク内を糠に当たりながら移動する連動移動手段と、開閉レバーの開動作に連動して糠取出用タンクを外側から変形させる連動変形手段とを備え、連動変形手段は、糠取出用タンクの変形可能な材料で構成されている部分の上側寄り箇所と下側寄り箇所との高さが異なる複数箇所に臨んで設けられたアーム部を有しており、開閉レバーの開動作に連動して、糠取出用タンクにおける複数のアーム部接触ライン間の面を移動させるように変形させることを特徴とする。
【００１１】
この構成において、開閉レバーを操作することで、連動変形手段により糠取出用タンクが外側から変形されると同時に、連動移動手段が糠取出用タンク内を糠に当たりながら移動し、この結果、糠取出用タンク内の糠がブリッジ状態になっていた場合でも、このブリッジ状態が崩されて糠は糠取出口から良好に排出される。また、開閉レバーを操作すると、連動変形手段の複数のアーム部により糠取出用タンクがアーム部接触ライン間の面が移動させるように変形されるので、ブリッジ状態が効果的に崩され、糠は糠取出口から良好に排出される。
【００１２】
請求項３記載の発明は、精米機から排出される糠を糠取出用タンクに溜め、糠取出用タンクに設けられた開閉自在の糠取出口を開けることで糠を外部に取出自在とされた精米設備の糠回収取出装置であって、糠取出用タンクの少なくとも一部を変形可能な材料で構成し、糠取出口を開閉させる開閉シャッタの開閉動作を行わせる開閉レバーと、開閉レバーの開動作に連動して糠取出用タンク内を糠に当たりながら移動する連動移動手段と、開閉レバーの開動作に連動して糠取出用タンクを変形させる連動変形手段とを備え、前記連動移動手段による糠に当たる箇所と、前記連動変形手段による糠取出用タンクに当たる箇所とが、高さが異なり、かつ前記連動移動手段の移動方向と前記連動変形手段の変形方向とが異なることを特徴とする。
【００１３】
この構成において、開閉レバーを操作することで、連動変形手段により糠取出用タンクが外側から変形されると同時に、連動移動手段が糠取出用タンク内を糠に当たりながら移動し、この結果、糠取出用タンク内の糠がブリッジ状態になっていた場合でも、このブリッジ状態が崩されて糠は糠取出口から良好に排出される。
【００２３】
【発明の実施の形態】
以下、本発明の実施の形態について、図面に基き説明する。なお、従来のコイン式精米設備の構成部品とほぼ同様な機能のものには同じ符号を付す。
【００２４】
図１、図２に示すように、このコイン式精米設備においても、仕切壁１により建屋２の内部が、利用客が自由に出入りできる客室３と、係員などが出入り可能な機械室４とに仕切られている。客室３には、玄米などの精米対象穀物を投入する投入ホッパ６や、精米機５で精米した白米を排出して一時的に溜める白米ホッパ７などが設けられている。機械室４には、精米機５や、投入ホッパ６からの送り通路８が設けられているだけでなく、精米機５からの発生した糠Ａを回収するとともに精米作業で発生する糠Ａを客室３側からも取出すことができる糠回収取出装置３０が設けられている。
【００２５】
糠回収取出装置３０は、精米機５から発生した糠Ａを吸引通路９を通して空気とともに吸引して下流側に送出す送風装置１１と、この送風装置１１の下流側に接続されて、糠Ａと空気とを分離するサイクロン１２と、サイクロン１２で分離された糠Ａを回収する回収用容器１３と、送風装置１１とサイクロン１２とを接続する接続通路１４、１５の途中に介装された糠取出用タンク３１と、機械室４内に配設され、糠取出用タンク３１の糠取出口３２から排出された糠Ａを受ける袋体１８を客室３側から出し入れできる糠取出部１９とを備えている。そして、仕切壁１の開口部２０に設けられた糠取出用扉２２を開けて糠取出部１９に袋体１８を置いた状態で、糠取出口３２に開閉自在に取付けられた開閉シャッタ３３を、開閉レバー３４を操作して開けることで、袋体１８内に糠Ａを取出すことができるようになっている。なお、図１における２９は、糠取出部１９に袋体１８を挟んで固定するためのクリップである。
【００２６】
図３、図４に示すように、糠取出用タンク３１は、仕切壁１の機械室４側に延設された支持ブラケット３６に取付けられ、接続通路１４、１５が接続されている上蓋部３１ａと、糠取出口３２の周囲壁面部を形成している下端部３１ｂと、上蓋部３１ａと下端部３１ｂとの間の中間壁部３１ｃとからなる。そして、上蓋部３１ａや下端部３１ｂは変形し難い剛体材料などから構成されている一方、中間壁部３１ｃは、変形自在で、かつ糠Ａは通さず空気を通すろ過布状材料で構成されている。
【００２７】
図３〜図６に示すように、開閉シャッタ３３の外周は糠取出部１９の上部に固定された筒状のシャッタカバー３５で覆われ、このシャッタカバー３５に水平に取付けた支持軸４３を中心として開閉シャッタ３３が揺動自在に支持されている。また、開閉シャッタ３３を操作するための開閉レバー３４が、シャッタカバー３５より前方に延出されたレバーガイド３７に沿って前後に出退自在に案内されている。そして、開閉レバー３４の後端と、開閉シャッタ３３の両側延出部３３ａの上端とが連結ピン３８を介して連結され、糠取出用扉２１を開けた状態で開閉レバー３４を手前に引くことにより、図６に示すように、開閉シャッタ３３が開けられるようになっている。また、開閉レバー３４とシャッタカバー３５との間には、開閉シャッタ３３を閉方向に付勢するための引張ばね３９が介装されている。
【００２８】
さらに、開閉シャッタ３３の上面側には、糠取出用タンク３１内において側面視して略Ｌ字形状に突出し、正面視して略コ字形状の連動移動手段としての１本の内部ブリッジ崩しアーム４１が取付けられ、この内部ブリッジ崩しアーム４１は、開閉レバー３４の開動作に連動して糠取出用タンク３１内を糠Ａに当たりながら前後に移動するようになっている。
【００２９】
また、開閉レバー３４の中央部には、糠取出用タンク３１の外周側を囲むように斜め上方に延び、側面視して略Ｌ字形状で、正面視して略コ字形状の連動変形手段としての１本の外部ブリッジ崩しアーム４２が取付けられ、この外部ブリッジ崩しアーム４２は、開閉レバー３４の開動作に連動して糠取出用タンク３１の中間壁部３１ｃを外側から前方へ押し出すように変形させるようになっている。
【００３０】
上記構成において、客室３の利用客が糠Ａを取出す場合には、糠取出用扉２１を開けた状態で開閉レバー３４を手前に引くことにより、図６に示すように、開閉シャッタ３３が開けられる。この際に、図５に示す状態で、例え糠取出用タンク３１内の糠Ａがブリッジ状態になっていた場合でも、開閉シャッタ３３の開動作に連動して、外部ブリッジ崩しアーム４２が糠取出用タンク３１の中間壁部３１ｃを外側から前方へ押し出すように変形させると同時に、内部ブリッジ崩しアーム４１が糠取出用タンク３１内を糠Ａに当たりながら前方に移動するので、糠Ａのブリッジ状態が効果的に崩されて糠Ａは糠取出口３２から良好に排出される。
【００３１】
また、糠取出用タンク３１の中間壁部３１ｃを、糠Ａは通さず空気を通すろ過布状材料で構成しているので、糠取出用タンク３１内に空気とともに糠Ａが流入した際に、空気がろ過布状材料から外部に抜けて、糠取出用タンク３１を大きくしたりしなくても糠取出用タンク３１内に糠Ａが多量に溜まる。したがって、客室３の利用客が多量の糠Ａを取出すことも可能となり、利便性が向上する。ここで、ろ過布状材料としては、比較的目の荒い布を用いてもよいが、これに限るものではなく、糠Ａは通さず空気を通し、変形自在なメッシュ状製品でもよい。
【００３２】
なお、上記の実施の形態においては、連動移動手段としての内部ブリッジ崩しアーム４１や連動変形手段としての外部ブリッジ崩しアーム４２をそれぞれ１本ずつ設けた場合を図示したが、これに限るものでないとともに、上記形状に限るものではない。
【００３３】
例えば、図７〜図９に示すように、前記内部ブリッジ崩しアーム４１の代わりに、連動移動手段として、開閉シャッタ３３の上面側に糠取出用タンク３１内において立設して斜め方向（開閉シャッタ３３にほぼ直交する方向）に直線状に突出する２本の棒状アーム５１を取付ける。この棒状アーム５１は、開閉レバー３４の開動作に連動して糠取出用タンク３１内の糠Ａに当たりながら前後に移動するようになっていながら、開閉シャッタ３３を開けた際に糠取出用タンク３１の糠Ａが下方へ流れ出すことを妨げないように構成されている。
【００３４】
また、図７〜図９に示すように、前記外部ブリッジ崩しアーム４２の代わりに、連動変形手段として、開閉レバー３４の中央部に、糠取出用タンク３１の中間壁部３１の前面近傍に沿って上方に延びる前板部５２と、この前板部５２の上端位置とその下方位置との２箇所から糠取出用タンク３１の中間壁部３１ｃの両側面および背面に沿うように延びる平面視して略コ字状の上アーム部５３および下アーム部５４とからなる外部ブリッジ崩しアーム５５を設けてもよい。なお、上アーム部５３および下アーム部５４は、糠取出用タンク３１の外形形状に対応させて、上アーム部５３よりも下アーム部５４が小さくなって、これらの上アーム部５３と下アーム部５４との配設箇所を結ぶと、糠取出用タンク３１の外形形状にあった下すぼまりの角錐台形状となるように形成されている。
【００３５】
このような構成において、糠取出用扉２１を開けた状態で開閉レバー３４を手前に引くことにより、図１０に示すように、開閉シャッタ３３が開けられる。この際に、図９に示す状態で、例え糠取出用タンク３１内の糠Ａがブリッジ状態になっていた場合でも、開閉シャッタ３３の開動作に連動して、外部ブリッジ崩しアーム５５が糠取出用タンク３１の中間壁部３１ｃの背面側を外側から前方へ押し出すように変形させると同時に、内部では棒状アーム５１が糠取出用タンク３１内を糠Ａに当たりながら前方に移動するので、糠Ａのブリッジ状態が崩されて糠Ａは糠取出口３２から排出される。
【００３６】
この場合に、外部ブリッジ崩しアーム５５は、上アーム部５３と下アーム部５４とが同期して移動して上下２つのラインで中間壁部３１ｃをその背面側から前方へ押すため、中間壁部３１ｃにおけるこれらのラインの間の面全体が移動して変形し、糠Ａのブリッジ状態を効果的に崩すことができる。
【００３７】
また、棒状アーム５１が直線形状であるとともに、棒状アーム５１同士がつながっていないため、開閉シャッタ３３が開けられて糠取出用タンク３１の糠Ａが下方へ流れ出す際に、この流れを妨げることが最小限に抑えられ、糠Ａが良好に排出される。なお、棒状アーム５１は、図７に示すように、糠取出用タンク３１の各側面近傍に設けると、糠Ａのブリッジ状態を良好に崩すことができ、しかも糠Ａの下方への流れ出しを妨げることが最小限に抑えられるが、これに限るものではない。
【００３８】
また、上アーム部５３および下アーム部５４は、これらの配設箇所を結ぶと、糠取出用タンク３１の外形形状にあった下すぼまりの角錐台形状となるように形成されているので、図９に示すような開閉レバー３４を手前に引いていない場合でも、中間壁部３１ｃにおける上アーム部５３および下アーム部５４との間の箇所が、これらの間の糠取出用タンク３１の傾斜形状を保持するようにして、大きく膨らむことを防止でき、この結果、ブリッジ状態になることを減少させたり、この箇所に糠Ａが溜まったままになることを防止させたりする効果がある。
【００３９】
なお、連動移動手段としての内部ブリッジ崩しアーム４１や棒状アーム５１および、連動変形手段としての外部ブリッジ崩しアーム４２や外部ブリッジ崩しアーム５５のうちの何れか一方だけを設けた場合でも、ブリッジ状態を崩す効果を有することはもちろんである。
【００４０】
また、この糠回収取出装置をコイン式精米設備内に設けることにより、コイン式精米設備内の限られたスペースを有効に利用できる利点があるが、これに限るものではなく、その他の屋内の精米設備などに設けることが可能である。
【００４１】
【発明の効果】
以上のように本発明によれば、開閉レバーの開動作に連動して糠取出用タンクを外側から変形させる連動変形手段を設けたり、開閉レバーの開動作に連動して糠取出用タンク内を糠に当たりながら移動する連動移動手段を設けたりすることで、糠取出用タンク内の糠がブリッジ状態になっていた場合でも、このブリッジ状態を崩して、糠を糠取出口から良好に排出させることができる。
【００４２】
また、連動変形手段として、上側寄り箇所と下側寄り箇所との高さが異なる複数箇所に臨んで設けられたアーム部を採用することで、糠取出用タンクがアーム部接触ライン間の面が移動させるように変形可能となるので、ブリッジ状態を効果的に崩すことができる。
【図面の簡単な説明】
【図１】本発明の実施の形態にかかるコイン式精米設備の機械室内の正面図である。
【図２】同コイン式精米設備の一部切欠平面図である。
【図３】本発明の実施の形態にかかる糠回収取出装置の正面図である。
【図４】同糠回収取出装置の側面図である。
【図５】同糠回収取出装置の要部側面図であり、開閉シャッタを閉じた状態を示す。
【図６】同糠回収取出装置の要部側面図であり、開閉シャッタを開けた状態を示す。
【図７】本発明の他の実施の形態にかかる糠回収取出装置の正面図である。
【図８】同糠回収取出装置の側面図である。
【図９】同糠回収取出装置の要部側面図であり、開閉シャッタを閉じた状態を示す。
【図１０】同糠回収取出装置の要部側面図であり、開閉シャッタを開けた状態を示す。
【図１１】従来のコイン式精米設備の機械室内の正面図である。
【図１２】同従来のコイン式精米設備の一部切欠平面図である。
【図１３】同従来のコイン式精米設備の糠取出部の側面断面図である。
【符号の説明】
１        仕切壁
２        建屋
３        客室
４        機械室
３０      糠回収取出装置
１１      送風装置
１２      サイクロン
１３      回収用容器
１８      袋体
１９      糠取出部
２１      糠取出用扉
３１      糠取出用タンク
３１ｃ    中間壁部
３２      糠取出口
３３      開閉シャッタ
３４      開閉レバー
４１      内部ブリッジ崩しアーム（連動移動手段）
４２      外部ブリッジ崩しアーム（連動変形手段）
５１      棒状アーム（連動移動手段）
５２      前板枠部
５３      上アーム部
５４      下アーム部
５５      外部ブリッジ崩しアーム（連動変形手段）
Ａ        糠
【図１】
0004229574.tif 000002
【図２】
0004229574.tif 000003
【図３】
0004229574.tif 000004
【図４】
0004229574.tif 000005
【図５】
0004229574.tif 000006
【図６】
0004229574.tif 000007
【図７】
0004229574.tif 000008
【図８】
0004229574.tif 000009
【図９】
0004229574.tif 000010
【図１０】
0004229574.tif 000011
【図１１】
0004229574.tif 000012
【図１２】
0004229574.tif 000013
【図１３】
0004229574.tif 000014